(57)【特許請求の範囲】
【請求項１】
ユーザにより入力された宛先情報の種類に対応する通信経路を用いてファクシミリ通信を行なうファクシミリ装置において、
前記ファクシミリ通信に用いられる宛先情報をユーザが入力する入力手段と、
前記入力手段で入力された宛先情報により特定される宛先に対して、前記ファクシミリ通信を実行する通信手段と、
前記入力手段により宛先情報をユーザが入力する際、該宛先情報に応じて前記通信手段が実行するファクシミリ通信がＩＰ網を経由して実行される場合は、該ファクシミリ通信が該ＩＰ網に接続された最終宛先に対して実行されるべきか、または公衆回線網に接続された最終宛先に対して実行されるべきかを判定し、この判定の結果に基づいて、前記ファクシミリ通信に用いられるべき宛先情報の種類を決定し、該決定した種類の宛先情報を前記ユーザに入力させるよう前記入力手段を制御する制御手段を有することを特徴とするファクシミリ装置。
【請求項２】
前記制御手段は、前記判定において、前記ファクシミリ通信が前記ＩＰ網に接続された最終宛先に対して実行されるべきと判定した場合は、前記入力手段がＩＰ網上で用いられるアドレス情報を入力するよう制御し、前記判定において、前記ファクシミリ通信が前記公衆回線網に接続された最終宛先に対して実行されるべきと判定した場合は、前記入力手段が公衆回線網上で用いられる電話番号を入力するよう制御することを特徴とする請求項１に記載のファクシミリ装置。
【請求項３】
前記制御手段は、ユーザから入力された指示に基づいて前記判定を行なうことを特徴とする請求項１または２に記載のファクシミリ装置。
【請求項４】
前記通信手段が、前記ＩＰ網を経由して行なわれるリアルタイムインターネットファクシミリ通信を実行することを特徴とする請求項１から３のいずれか１項に記載のファクシミリ装置。
【請求項５】
ファクシミリ通信に用いられる宛先情報をユーザが入力する入力手段と、前記入力手段で入力された宛先情報により特定される宛先に対して、ファクシミリ通信を実行する通信手段を有し、ユーザにより入力された宛先情報の種類に対応する通信経路を用いてファクシミリ通信を行なうファクシミリ装置の制御方法において、
前記入力手段により宛先情報をユーザが入力する際、該宛先情報に応じて前記通信手段が実行するファクシミリ通信がＩＰ網を経由して実行される場合は、該ファクシミリ通信が該ＩＰ網に接続された最終宛先に対して実行されるべきか、または公衆回線網に接続された最終宛先に対して実行されるべきかを判定し、この判定の結果に基づいて、前記ファクシミリ通信に用いられるべき宛先情報の種類を決定し、該決定した種類の宛先情報を前記ユーザに入力させるよう前記入力手段を制御する制御ステップを含むことを特徴とするファクシミリ装置の制御方法。
【請求項６】
前記制御ステップは、前記判定において、前記ファクシミリ通信が前記ＩＰ網に接続された最終宛先に対して実行されるべきと判定した場合は、前記入力手段がＩＰ網上で用いられるアドレス情報を入力するよう制御し、前記判定において、前記ファクシミリ通信が前記公衆回線網に接続された最終宛先に対して実行されるべきと判定した場合は、前記入力手段が公衆回線網上で用いられる電話番号を入力するよう制御することを特徴とする請求項５に記載のファクシミリ装置の制御方法。
【請求項７】
前記制御ステップは、ユーザから入力された指示に基づいて前記判定を行なうことを特徴とする請求項５または６に記載のファクシミリ装置の制御方法。
【請求項８】
前記通信手段が、前記ＩＰ網を経由して行なわれるリアルタイムインターネットファクシミリ通信を実行することを特徴とする請求項５から７のいずれか１項に記載のファクシミリ装置の制御方法。
【請求項９】
ファクシミリ通信に用いられる宛先情報をユーザが入力する入力手段と、前記入力手段で入力された宛先情報により特定される宛先に対して、ファクシミリ通信を実行する通信手段を有し、ユーザにより入力された宛先情報の種類に対応する通信経路を用いてファクシミリ通信を行なうファクシミリ装置の制御プログラムにおいて、
前記入力手段により宛先情報をユーザが入力する際、該宛先情報に応じて前記通信手段が実行するファクシミリ通信がＩＰ網を経由して実行される場合は、該ファクシミリ通信が該ＩＰ網に接続された最終宛先に対して実行されるべきか、または公衆回線網に接続された最終宛先に対して実行されるべきかを判定し、この判定の結果に基づいて、前記ファクシミリ通信に用いられるべき宛先情報の種類を決定し、該決定した種類の宛先情報を前記ユーザに入力させるよう前記入力手段を制御する制御ステップを含むことを特徴とするファクシミリ装置の制御プログラム。
【請求項１０】
前記制御ステップは、前記判定において、前記ファクシミリ通信が前記ＩＰ網に接続された最終宛先に対して実行されるべきと判定した場合は、前記入力手段がＩＰ網上で用いられるアドレス情報を入力するよう制御し、前記判定において、前記ファクシミリ通信が前記公衆回線網に接続された最終宛先に対して実行されるべきと判定した場合は、前記入力手段が公衆回線網上で用いられる電話番号を入力するよう制御することを特徴とする請求項９に記載のファクシミリ装置の制御プログラム。
【請求項１１】
前記制御ステップは、ユーザから入力された指示に基づいて前記判定を行なうことを特徴とする請求項９または１０に記載のファクシミリ装置の制御プログラム。
【請求項１２】
前記通信手段が、前記ＩＰ網を経由して行なわれるリアルタイムインターネットファクシミリ通信を実行することを特徴とする請求項９から１１のいずれか１項に記載のファクシミリ装置の制御プログラム。
【発明の詳細な説明】
【０００１】
【発明の属する技術分野】
本発明は、複数種類の選択情報のいずれかを用いて宛先を発呼し、異なる通信経路でファクシミリ通信を行なうファクシミリ装置、ファクシミリ装置の制御方法、およびファクシミリ装置の制御プログラムに関するものである。
【０００２】
【従来の技術】
近年のインターネットの普及には目覚ましいものがあり、ファクシミリ装置でも種々の方法でネットワーク通信技術を応用する技術が提案されている。たとえば、ＩＴＵ−Ｔ勧告に記載の技術としては、ＩＴＵ−Ｔ勧告Ｔ.３７のシンプルモードによるファクシミリ通信、およびＩＴＵ−Ｔ勧告Ｔ.３８のリアルタイムインターネットファクシミリ通信が知られている。
【０００３】
ＩＴＵ−Ｔ勧告Ｔ.３７のシンプルモードによるファクシミリ通信は、送信すべき画像情報をＴＩＦＦ形式の画像データに変換し、その画像ファイルをＥメールテキストにＭＩＭＥ形式で格納してＳＭＴＰ（Ｓｉｍｐｌｅ  Ｍａｉｌ  Ｔｒａｎｓｆｅｒ  Ｐｒｏｔｏｃｏｌ）により送受信するものである。ＩＴＵ−Ｔ勧告Ｔ.３７のシンプルモードによるファクシミリ通信における相手局はＥメールアドレスにより識別される。
【０００４】
一方、ＩＴＵ−Ｔ勧告Ｔ.３８のリアルタイムインターネットファクシミリ通信は、ＩＰ網の通信の部分で２つのゲートウェイ（エミッティングゲートウェイおよびレシービングゲートウェイ）間にＴＣＰ／ＩＰまたはＵＤＰ／ＩＰコネクションを生成し、その上で、送信側ファクシミリ〜エミッティングゲートウェイ間、およびレシービングゲートウェイ〜受信側ファクシミリの間（それぞれＰＳＴＮにより接続される）のＩＴＵ−Ｔ勧告Ｔ.３０によるファクシミリプロトコルを中継する。エミッティングゲートウェイおよびレシービングゲートウェイ間では、Ｇ３ファクシミリ信号は、勧告Ｔ．３８のＩＦＰ（インターネットファクシミリプロトコル）にしたがいＴＣＰ（またはＵＤＰ）パケット中にカプセル化され、交換される。
【０００５】
ＩＴＵ−Ｔ勧告Ｔ.３８のリアルタイムインターネットファクシミリ通信における相手局は、レシービングゲートウェイがＰＳＴＮ経由で受信側ファクシミリを発呼する場合はその最終相手局の電話番号により識別される。また、ＩＴＵ−Ｔ勧告Ｔ.３８では、ＩＰ網上に配置され、直接Ｔ.３８プロトコルを実行するＩＡＦ（Ｉｎｔｅｒｎｅｔ  Ａｗａｒｅ  Ｆａｘ  ｄｅｖｉｃｅ：インターネットファクシミリ装置）も規定されている。ＩＡＦは上記のレシービングゲートウェイと受信側クライアントファクシミリとを一体化した構成と考えることができ、ＩＡＦが最終相手局の場合は、電話番号ではなくメールアドレス（あるいはホストアドレス）により識別される。
【０００６】
以上のように、ＰＳＴＮ経由、インターネット経由のファクシミリ通信をサポートする場合は形式（種類）の異なる選択情報を用いて相手局を発呼しなければならない。
【０００７】
【発明が解決しようとする課題】
一方、ファクシミリ装置などの通信装置では、短縮ダイヤルやワンタッチキーに相手局の名称や選択情報を登録する構成が知られている。
【０００８】
そして、ＰＳＴＮ接続のファクシミリ通信と、ＩＴＵ−Ｔ勧告Ｔ.３７あるいはＴ．３８のインターネットファクシミリ通信をサポートする装置において短縮ダイヤルやワンタッチキーに相手局の選択情報を登録する場合は、選択情報として電話番号を登録すべきか、メールアドレス（あるいはホストアドレスなど）を登録すべきかを決定しなければならないが、従来では、ＰＳＴＮ接続のファクシミリ通信と、インターネットファクシミリ通信をサポートする装置において短縮ダイヤルやワンタッチキーに相手局の選択情報を適切に登録する技術が存在しなかった。
【０００９】
本発明の課題は、ファクシミリ通信、特にＩＴＵ−Ｔ勧告Ｔ．３８のインターネットファクシミリ通信などにおいて、異なる通信経路でファクシミリ通信を行なう場合、相手局の選択情報を適切に入力させることができるようにすることにある。
【００１０】
【課題を解決するための手段】
上記の課題を解決するため、本発明によれば、ファクシミリ通信に用いられる宛先情報をユーザが入力する入力手段と、前記入力手段で入力された宛先情報により特定される宛先に対して、ファクシミリ通信を実行する通信手段を有し、ユーザにより入力された宛先情報の種類に対応する通信経路を用いて複数種類の選択情報のいずれかを用いて宛先を発呼し、異なる通信経路でファクシミリ通信を行なうファクシミリ装置、ファクシミリ装置の制御方法、およびファクシミリ装置の制御プログラムにおいて、前記入力手段により宛先情報をユーザが入力する際、該宛先情報に応じて前記通信手段が実行するファクシミリ通信がＩＰ網を経由して実行される場合は、該ファクシミリ通信が該ＩＰ網に接続された最終宛先に対して実行されるべきか、または公衆回線網に接続された最終宛先に対して実行されるべきかを判定し、この判定の結果に基づいて、前記ファクシミリ通信に用いられるべき宛先情報の種類を決定し、該決定した種類の宛先情報を前記ユーザに入力させるよう前記入力手段を制御する構成を採用した。
あるいはさらに、前記判定において、前記ファクシミリ通信が前記ＩＰ網に接続された最終宛先に対して実行されるべきと判定した場合は、前記入力手段がＩＰ網上で用いられるアドレス情報を入力するよう制御し、前記判定において、前記ファクシミリ通信が前記公衆回線網に接続された最終宛先に対して実行されるべきと判定した場合は、前記入力手段が公衆回線網上で用いられる電話番号を入力するよう制御する構成を採用した。
あるいはさらに、前記制御においては、ユーザから入力された指示に基づいて前記判定を行なう構成を採用した。
あるいはさらに、前記通信手段は、前記ＩＰ網を経由して行なわれるリアルタイムインターネットファクシミリ通信を実行する構成を採用した。
【００１３】
【発明の実施の形態】
以下、図を参照して本発明の実施の形態を説明する。
【００１４】
図１に本発明を適用可能な通信系の構造を示している。図１にはＩＰネットワーク（インターネットあるいはイントラネット）１０６に接続されたファクシミリゲートウェイ（Ａ、Ｂ）１０４、１０８が示されており、ファクシミリ装置（Ａ、Ｂ）１００と１１２はこれらファクシミリゲートウェイ１０４、１０８を介してＩＴＵ−Ｔ勧告Ｔ.３８準拠のプロトコル（以下Ｔ．３８プロトコルという。他のプロトコルも同様）によりファクシミリ通信することができる。ファクシミリ装置１００、１１２は、ＰＳＴＮ（一般公衆回線）１０２、１１０を介してファクシミリゲートウェイ１０４、１０８と接続する。
【００１５】
Ｔ．３８プロトコルの場合、ファクシミリ装置（Ａ）１００が発呼側であれば、ファクシミリ装置１００はＰＳＴＮ１０２経由でゲートウェイ１０４を発呼する。そして、ゲートウェイ（エミッティングゲートウェイ）１０４とゲートウェイ（レシービングゲートウェイ）１０８との間でＴＣＰ／ＩＰ（またはＵＤＰ／ＩＰ）コネクションを形成する。ゲートウェイ１０８は、何らかの方法でファクシミリ装置１００〜ゲートウェイ１０４から通知された電話番号情報に基づきＰＳＴＮ１１０を介してファクシミリ装置（Ｂ）１１２を発呼し、呼を成立させる。以後、Ｇ３ファクシミリ信号をＩＦＰ（インターネットファクシミリプロトコル）にしたがいＴＣＰ（またはＵＤＰ）パケット中にカプセル化して交換する。
【００１６】
なお、（エミッティング）ゲートウェイ１０４にファクシミリ装置１１２の電話番号を通知するにはダブルダイアリングなどの手法を用いる（勧告Ｔ．３８付録Ｂ．２．１）。（レシービング）ゲートウェイ１０８にファクシミリ装置１１２の電話番号を通知する技術仕様の細部は勧告化されていないが（勧告Ｔ．３８付録Ｂ．２．２）、何らかの手法、たとえばＴＣＰ／ＩＰ（またはＵＤＰ／ＩＰ）上のソケットサービスなどによってファクシミリ装置１１２の電話番号を通知することになる。
【００１７】
ファクシミリ装置１００は、ファクシミリ装置１１２だけではなく、Ｔ．３８プロトコルによりＩＦＰパケットを直接送受信できるインターネットファクシミリ装置（ＩＡＦ）１１２ａとも通信できる。このインターネットファクシミリ装置１１２ａは、直接、示したＩＦＰ（インターネットファクシミリプロトコル）パケットを送受信し、ファクシミリ通信を行なう。インターネットファクシミリ装置１１２ａの選択情報は、前述のようにインターネットファクシミリ装置１１２ａのメールアドレス（またはホストアドレス）である。
【００１８】
ファクシミリ装置１００は、さらにＴ．３７プロトコルによりシンプルモードのインターネットファクシミリ通信を行なえる。Ｔ．３７プロトコルでは、ファクシミリ画像データはＩＰネットワーク１０６中をＥメール情報として伝達される。この場合、ファクシミリ装置１００は、ＩＰネットワーク１０６と接続してＳＭＴＰプロトコルによりファクシミリ画像データを送信するが、本実施形態ではゲートウェイ１０４がＰＰＰ（Ｐｏｉｎｔ  Ｔｏ  Ｐｏｉｎｔ  Ｐｒｏｔｏｃｏｌ）接続などにより、ＩＰネットワーク１０６との間のＩＰ接続サービスを提供するものとする。ただし、他のＩＳＰ（Ｉｎｔｅｒｎｅｔ  Ｓｅｒｖｉｃｅ  Ｐｒｏｖｉｄｅｒ）などのアクセスポイントをファクシミリ装置１００が発呼してＩＰ接続サービスを受ける構成であっても構わない。
【００１９】
また、ファクシミリ装置１００は、ＰＳＴＮ１０２を介してファクシミリ装置（Ｃ）１１３と直接接続して、Ｔ．３０プロトコルによりファクシミリ通信を行なうことができる。
【００２０】
ここで、図２および図３にＴ．３８プロトコルによるインターネットファクシミリ通信の様子を示しておく。図２、図３の符号２０１は画像を送信する送信側ファクシミリ装置（ここでは発呼側）、２０４は受信側ファクシミリ装置で、図１のファクシミリ装置１００および１１２のいずれかに相当する。
【００２１】
また、符号２０２’はエミッティングゲートウェイ（送信側ゲートウェイ）、２０３はレシービングゲートウェイ（受信側ゲートウェイ）で、図１のゲートウェイ１０４および１０８のいずれかにそれぞれ相当する。これらのゲートウェイ装置はネットワークインターフェースおよびＰＳＴＮインターフェースを有する専用ファクシミリ装置として、あるいは同様の通信インターフェースを有するコンピュータシステムから構成することができる。
【００２２】
送信側ファクシミリ装置２０１とエミッティングゲートウェイ２０２’、および受信側ファクシミリ装置２０４とレシービングゲートウェイ２０３の間で送受信されるファクシミリプロトコル信号は、図示のように通常のＧ３ファクシミリプロトコルのものと全く同様であり、これらの信号は図２、図３の中央部に示されるようにＩＦＰにしたがい、いわゆるＴ．３８パケットに変換され、ＴＣＰ（あるいはＵＤＰ）パケット中にカプセル化して交換される。
【００２３】
Ｔ．３８パケットは、ＴＹＰＥおよびＤＡＴＡの要素から構成される。ＤＡＴＡの部分は実際の信号の内容であるが、ＴＹＰＥにはＴ３０ＩＮＤ（Ｔ３０インジケータ）、信号の変調方式を示すＴ３０＿ＤＡＴＡ  ＴＹＰＥ、ＤＡＴＡとして送信される信号がＨＤＬＣフォーマットであることを示すためのＨＤＬＣ＿ＸＸＸなどがある（Ｔ．３８勧告７．２）。
【００２４】
図４は本発明を採用したファクシミリ装置の構成を示している。図４の装置は、図１のファクシミリ装置１００（あるいは１１２）に相当するものである。図４において符号２は、ＮＣＵ（網制御装置）で、電話網をデータ通信等に使用するためにその回線の端末に接続し、電話交換網の接続制御を行なったり、データ通信路への切り替えを行なったり、ループの保持を行なったりするものである。ＮＣＵ２は、バス２６からの制御に応じて電話回線２ａを電話機４側に接続する（ＣＭＬオフ）か、電話回線２ａをファクシミリ装置側に接続する（ＣＭＬオン）。通常状態では、電話回線２ａは電話機４側に接続されている。
【００２５】
符号６はハイブリッド回路で、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００２６】
符号８は変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行なう。バス２６の制御により、各伝送モードが指定される。変復調器８は、バス２６からの送信信号を入力し、変調データを信号線８ａに出力し、信号線６ａに出力されている受信信号を入力し、復調データをバス２６に出力する。
【００２７】
符号１０は、発呼回路であり、バス２６からの制御に応じて電話番号情報を入力し、信号線１０ａにＤＴＭＦ形式の選択信号を出力する。
【００２８】
符号１２は、加算回路であり、信号線８ａの情報と信号線１０ａの情報を入力し、加算した結果を信号線１２ａに出力する。
【００２９】
符号１４は、原稿から画情報を読み取る読取回路であり、光学読取素子および原稿搬送系から構成され、読み取りデータをバス２６に出力する。
【００３０】
符号１６は、画情報を記録する記録回路であり、バス２６に出力されている情報を順次１ライン毎に記録する。記録回路１６は、レーザビームプリンタなどの記録機構により構成される。
【００３１】
符号１８は、メモリ回路であり、ＲＡＭ（あるいはハードディスクドライブなどのような読み書き可能なメモリ）を含み、後述のＣＰＵ２２のワーク領域として用いられる。読み取った、あるいは受信した画像データを生データ、あるいは符号化データの形式で格納する他、他の制御データも格納される。メモリ回路１８へのアクセスはバス２６を介して行なわれる。
【００３２】
符号２０は、操作部であり、ワンタッチダイヤルキー（ワンタッチキー）、短縮ダイヤル指定キー、テンキー、＊キー、＃キー、スタートキー、ストップキー、セットキー、両面送信選択キー、その他のファンクションキーがあり、これらのキーの操作情報はバス２６に出力される。操作部２０には、ＬＣＤなどの表示素子から成る表示部が設けられており、装置の動作状態をモニタしたり、各種の設定を行なうユーザーインターフェースに用いられる。操作部２０のアクセスはバス２６を介して行なわれる。
【００３３】
操作部２０のワンタッチキー（あるいは短縮ダイヤル指定キーおよびテンキーを用いた短縮ダイヤル操作についても同様）に対しては、図６のように宛先情報を登録できるものとする。図６の場合、ワンタッチキー０１、０２、０３の各宛先は、ＰＳＴＮ経由、インターネットファクシミリ通信（Ｔ．３７プロトコルによるシンプルモード）、インターネットファクシミリ通信（Ｔ．３８プロトコルによるリアルタイムモード）によりそれぞれ接続され、登録情報には、これらの接続方式（図６の中央）と、選択情報（図６の右側）が含まれる。なお、図６のテーブル中の登録情報は説明を容易にするために文字により表示したものであって、メモリ中での実際の表現形式は任意であるのはいうまでもない。
【００３４】
後述の制御によれば、各宛先との接続方式に応じて、ワンタッチキー０１の選択情報は電話番号、ワンタッチキー０２の選択情報は電子メールアドレス、ワンタッチキー０３の選択情報は電話番号となるよう適切に登録される。図６の宛先情報は、後述の制御により、メモリ回路１８の所定領域にテーブルデータとして登録される。
【００３５】
符号２２は、ＣＰＵ（中央処理装置）であり、ファクシミリ全体の動作を制御するとともに、ファクシミリ伝送制御手順を実行するが、その制御プログラムは、ＲＯＭ２４に格納される。符号２６はＣＰＵ２２のバスで、アドレスバス、データバスから構成される。
【００３６】
図５は本発明を採用したファクシミリゲートウェイ装置の構成を示している。図５の装置は、ファクシミリ装置と接続するためのＰＳＴＮインターフェースと、インターネット（ＩＰネットワーク）に接続するためのネットワークインターフェースを有し、ＰＳＴＮインターフェース側のファクシミリ装置とはＧ３ファクシミリ手順により通信し、インターネット（ＩＰネットワーク）を介して相手のファクシミリゲートウェイと通信する装置である。図５の装置は、図１のゲートウェイ１０４または１０８に対応し、エミッティングゲートウェイまたはレシービングゲートウェイとして動作する。
【００３７】
図５において符号２０２は、ＮＣＵ（網制御装置）で、電話網をデータ通信等に使用するためにその回線の端末に接続し、電話交換網の接続制御を行ったり、データ通信路への切り換えを行ったり、ループの保持を行なったりするためのものである。また、ＮＣＵ２０２は、バス２２６からの制御に基づき電話回線２０２ａをオープンに（ＣＭＬオフ）したり、電話回線２０２ａをファクシミリ装置側に接続（ＣＭＬオン）する制御を行なう。なお、通常状態では電話回線２０２ａは、オープンである。
【００３８】
符号２０６は、ハイブリッド回路であり、送信系の信号と受信系の信号とを分離し、加算回路２１２からの送信信号をＮＣＵ２０２経由で電話回線２０２ａに送出し、相手側からの信号をＮＣＵ２０２経由で受取り、信号線２０６ａ経由で変復調器２０８に送る。
【００３９】
符号２０８は、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を実行可能な変復調器であり、バス２２６から制御することによりこれらの各伝送モードを選択できる。変復調器２０８は、バス２２６からの送信信号を入力し、変調データを信号線２０８ａに出力し、信号線２０６ａに出力されている受信信号を入力し、復調データをバス２２６に出力する。
【００４０】
符号２１０は、発呼回路であり、バス２２６からの信号により、電話番号情報を入力し、信号線２１０ａにＤＴＭＦの選択信号を出力する。符号２１２は、加算回路であり、信号線２０８ａの情報と信号線２１０ａの情報を入力し、加算した結果を信号線２１２ａに出力する。
【００４１】
符号２０２から２１２のブロックは電話回線２０２ａ（ＰＳＴＮ回線１）と接続するための回線インターフェース（１）２３０を構成する。本実施形態では、この他に回線インターフェース（１）２３０と同様に構成された電話回線（ＰＳＴＮ回線２）２１４ａと接続するための回線インターフェース（２）２１４、および電話回線（ＰＳＴＮ回線３）２１６ａと接続するための回線インターフェース（３）２１６が設けられ、これらの回線インターフェースの接続制御はバス２２６を介してＣＰＵ２２２により実行される。
【００４２】
符号２１８は、メモリ回路であり、メモリ（ＲＡＭ）などの記憶素子から構成され、ワーク用領域として、また、読取り画像データの生情報、あるいは、符号化した情報を格納したり、また、受信情報、あるいは、復号化した情報等をバス２２６を介して格納するために使用する。
【００４３】
符号２２０は、ネットワークカードであり、信号線２２０ａを介して、インターネットに接続される。ネットワークのハードウェアアーキテクチャは任意であるが、ネットワークカード２２０はたとえばイーサネット（商標名）インターフェースカードなどから構成される。
【００４４】
符号２２２は、ＣＰＵ（中央処理装置）であり、ファクシミリゲートウェイ全体を制御するとともに、ファクシミリ装置とのファクシミリ伝送制御手順、また、ゲートウェイ間での通信手順などを実行する。ＣＰＵ２２２の制御プログラムはＲＯＭ２２４に格納される。ＣＰＵ２２２はバス２２６を介して上記の各ブロックと接続される。
【００４５】
符号２２４はＲＯＭであり、後述の通信制御を実行するためのＣＰＵ２２２の制御プログラムが格納されている。もちろん、ＲＯＭ２２４には、ＣＰＵ２２２のプログラムとして勧告Ｔ．３８によるインターネットファクシミリ通信、およびＴＣＰ／ＩＰおよびＵＤＰ／ＩＰのためのプロトコルスタックが格納されているものとする。
【００４６】
次に上記構成における動作につき説明する。本発明では、図４のファクシミリ装置において操作部２０のワンタッチキーに対する宛先登録時、あるいは直接ダイアリングによる発呼時に、宛先に対する接続方式に応じて適切な選択情報が用いられるように制御する。
【００４７】
図７〜図１２は図４のファクシミリ装置（発呼側のクライアントファクシミリ装置）のＣＰＵ２２の制御手順を示している。各図の丸数字のフローはその位置で相互に連続しているものとする。
【００４８】
図７において、ステップＳ０は、所定のリセット操作などにより開始される処理の始めを示している。ステップＳ２では、バス２６を介してメモリ回路１８をイニシャライズし、ステップＳ４ではバス２６を介して、操作部２０の表示部をイニシャライズ（クリア）する。
【００４９】
ステップＳ６では、バス２６を介してＮＣＵ２のＣＭＬをオフとし、回線２ａを電話機４側に接続する。
【００５０】
ステップＳ８では、バス２６を介して操作部２０の操作情報を入力し、ファクシミリゲートウェイの電話番号の登録が選択されたか否かを判定する。ステップＳ８が肯定された場合にはステップＳ１０に進み、バス２６を介してメモリ１８にファクシミリゲートウェイの電話番号、例えば０３−３１１１−２２２２を登録し、ステップＳ８が否定された場合にはステップＳ１２に進む。
【００５１】
ステップＳ１２では、バス２６を介して操作部２０の操作情報を入力し、ワンタッチダイヤルの登録処理が選択されたか否かを判定し、ステップＳ１２が肯定された場合にはステップＳ１４に進み、ステップＳ１２が否定された場合には図１０のステップＳ３４に進む。
【００５２】
ステップＳ１４では、ワンタッチダイヤルの登録処理を行なう。ここでは、バス２６を介して操作部２０の表示部を制御し「インターネット経由のファクシミリ通信の宛先ですか」と表示する。以下、この種の質問表示に対して、ユーザは操作部２０で行なえる適当な操作（たとえば「選択」キーと「キャンセル」キーのような操作）により応答するものとする。
【００５３】
図８のステップＳ１６では、バス２６を介して操作部２０の操作情報を入力し、インターネット経由のファクシミリ通信の宛先であるか否かを判定し、ステップＳ１６が肯定された場合にはステップＳ１８に進み、ステップＳ１８が否定、つまり、ＰＳＴＮ経由でのみ接続される宛先、とユーザが応答した場合は図９のステップＳ３０に進む。
【００５４】
ステップＳ１８では、バス２６を介して操作部２０の表示部を制御し「インターネット経由のファクシミリ通信の通信方法を選択してください」と表示する。ここではメニューなどにより、少なくとも「ＩＴＵ−Ｔ勧告Ｔ．３７のシンプルモード」、「ＩＴＵ−Ｔ勧告Ｔ．３８のリアルタイムモード」を選択できるように表示を行なう。
【００５５】
ステップＳ２０ではバス２６を介して操作部２０の操作情報を入力する。そして、ユーザの選択したインターネット経由のファクシミリ通信の通信方法がＩＴＵ−Ｔ勧告Ｔ．３８のリアルタイムモードの場合はステップＳ２２へ、ＩＴＵ−Ｔ勧告Ｔ．３７のシンプルモードの場合は図９のステップＳ２６に移行する。
【００５６】
ＩＴＵ−Ｔ勧告Ｔ．３８のリアルタイムモードの場合、ステップＳ２２においてバス２６を介して操作部２０の表示部を制御し「通信宛先情報として電話番号を入力してください」と表示する。
【００５７】
ステップＳ２４では、バス２６を介して操作部２０から入力される電話番号を取り込み、図６のテーブルに登録する。ここでは、図６のワンタッチキー０３のようにインターネット（リアルタイムモード）、０３−１２３４−５６７８と登録し、ステップＳ６に復帰する。
【００５８】
一方、ＩＴＵ−Ｔ勧告Ｔ．３７のシンプルモードの場合は、図９のステップＳ２６においてバス２６を介して操作部２０の表示部に「通信宛先情報としてメールアドレス情報を入力してください」と表示する。そして、ステップＳ２８は、バス２６を介して操作部２０から入力されるメールアドレス情報を取り込み、ワンタッチダイヤルメモリ１８に登録する。ここでは、図６のワンタッチキー０２のようにインターネット（シンプルモード）、ｘｘｘ＠ｙｙｙ．ｃｏ．ｊｐなどのように登録し、ステップＳ６に復帰する。
【００５９】
一方、ステップＳ１６でＰＳＴＮ経由でのみ接続される宛先、とユーザが応答した場合はステップＳ３０において、バス２６を介して、操作部２０の表示部を制御し「通信宛先情報として電話番号情報を入力して下さい」と表示する。
【００６０】
ステップＳ３２では、バス２６を介して操作部２０から入力される電話番号を取り込み、ワンタッチダイヤルメモリ１８に登録する。ここでは、図６のワンタッチキー０１のように、ＰＳＴＮ、０３−３１１１−１１１１と登録し、ステップＳ６に復帰する。
【００６１】
ステップＳ１２でワンタッチダイヤルの登録処理が選択されていなかった場合は、図１０のステップＳ３４において、バス２６を介して直接ダイヤル（操作部２０のテンキーによる）の発呼操作が選択されたか否かを判定する。ステップＳ３４が肯定された場合にはステップＳ３６に進み、ステップＳ３４が否定された場合には図１２のステップＳ７８に進む。
【００６２】
ステップＳ３６はステップＳ１４と同一の処理で、操作部２０の表示部に「インターネット経由のファクシミリ通信の宛先ですか」と表示する。つまり、直接ダイヤルされる宛先が「インターネット経由のファクシミリ通信の宛先」かどうかを尋ねている。ステップＳ３８は、ステップＳ１６と同一の処理で、ユーザの応答がインターネット経由のファクシミリ通信の宛先であるか否かを判定する。ここでユーザの応答が、直接ダイヤルされる宛先に対するインターネット経由のファクシミリ通信である場合にはステップＳ４０に進み、同宛先にＰＳＴＮで接続する場合はステップＳ６８（図１２）に進む。
【００６３】
ステップＳ４０はステップＳ１８と同一処理で、操作部２０の表示部に「インターネット経由のファクシミリ通信の通信方法を選択してください」と表示する。そして、ステップＳ４２でユーザの応答を入力する。ステップＳ４２は、ステップＳ２０と同一処理で、ユーザの応答が勧告Ｔ．３８のリアルタイムモードなら、ステップＳ４４に進み、勧告Ｔ．３７のシンプルモードなら図１１のステップＳ５６に進む。
【００６４】
勧告Ｔ．３８のリアルタイムモードの直接ダイヤルが行なわれると、ステップＳ４４に進む。ステップＳ４４はステップＳ２２と同一処理で、操作部２０の表示部に「通信宛先情報として電話番号を入力してください」と表示し、ステップＳ４６で電話番号を入力する。
【００６５】
ステップＳ４８では、バス２６を介してＮＣＵ２のＣＭＬをオンとし、回線をハイブリッド回路６側に接続する。ステップＳ５０は、バス２６を介して発呼回路１０を制御し、ファクシミリゲートウェイ（図１の１０４）に発呼する。
【００６６】
ステップＳ５２は、Ｔ．３０プロトコルの前手順（あるいは他の適当な手順）によりＴ．３８プロトコルのリアルタイムモードによるファクシミリ通信を行なうことをゲートウェイに通知し、通信宛先として電話番号をゲートウェイに伝達する。
【００６７】
ステップＳ５４では、Ｔ．３８のリアルタイムモードによるファクシミリ通信を実行する。ここでは、ゲートウェイとの間でＴ．３０プロトコルを実行し、ゲートウェイがこれをＴ．３８プロトコルに変換して相手ゲートウェイとの間で中継する。ステップＳ５４の後、処理はステップＳ６に復帰する。
【００６８】
一方、ステップＳ４２でユーザの応答が勧告Ｔ．３７のシンプルモードの場合は、図１１のステップＳ５６においてステップＳ２６と同一の処理を行なう。すなわち、操作部２０の表示部に「通信宛先情報としてメールアドレス情報を入力してください」と表示する。そしてステップＳ５８でユーザが操作部２０からメールアドレスを入力する。
【００６９】
ステップＳ６０では、バス２６を介して、ＮＣＵ２のＣＭＬをオンとし、回線をハイブリッド回路６側に接続し、ステップＳ６２においてバス２６を介して発呼回路１０を制御しファクシミリゲートウェイ（１０４）を発呼し、Ｅメール情報を送信できるようファクシミリゲートウェイ（１０４）との間にＰＰＰコネクションを生成する。
【００７０】
そして、ステップＳ６４でファクシミリゲートウェイに通信宛先のメールアドレスを通知し、ステップＳ６６でＴ．３７プロトコルによるシンプルモードによるファクシミリ通信を行なう。ここではファクシミリゲートウェイ（１０４）がＳＭＴＰのメールサーバとして機能する（ただし別のメールサーバを用いてもよい）。ここでは、送信すべき画像情報はＴＩＦＦ形式の画像データに変換され、その画像ファイルがＥメールテキストにＭＩＭＥ形式で格納され、送信される。通信宛先のメールアドレスは、メールのヘッダ情報などとしてメールサーバに伝達される。ステップＳ６６終了後、処理はステップＳ６に復帰する。
【００７１】
一方、ステップＳ３８で、直接ダイヤルされる宛先にＰＳＴＮで接続する場合は図１２のステップＳ６８において、ステップＳ３０と同様に操作部２０の表示部に「通信宛先情報として電話番号情報を入力して下さい」と表示する。そして、ステップＳ７０で操作部２０から電話番号を入力し、ステップＳ７２では、バス２６を介して、ＮＣＵ２のＣＭＬをオンとし、回線をハイブリッド回路６側に接続し、ステップＳ７４で目的の宛先（図１のファクシミリ装置１１３）の電話番号を（ＰＳＴＮ交換機に対して）送出する。宛先と接続後、ステップＳ７６においてＴ．３０プロトコルによりＧ３ファクシミリ通信を行ない、その後、ステップＳ６に復帰する。
【００７２】
また、ステップＳ３４において直接ダイヤル（操作部２０のテンキーによる）の発呼操作が選択されていなかった場合はステップＳ７８において、バス２６を介して操作部２０の操作情報を入力し、ワンタッチダイヤルによるファクシミリ通信が選択されたか否かを判定し、ステップＳ７８が肯定された場合にはステップＳ８２に進むが、ステップＳ７８が否定された場合にはステップＳ８０に進み、その他の処理（原稿のコピーなど）を実行する。
【００７３】
ステップＳ８２では、メモリ１８に図６のように登録されているワンタッチダイヤル情報から接続方式を判定する。ここで、宛先とＰＳＴＮで接続する場合はステップＳ７０（図１２）に進む。また、宛先とインターネット経由で接続するのであればステップＳ８４に進む。
【００７４】
インターネット経由の場合、ステップＳ８４において、さらにメモリ１８のワンタッチダイヤル情報（図６）からＴ．３７プロトコルのシンプルモードを用いるべきか否かを判定する。Ｔ．３７プロトコルのシンプルモードを用いる場合はステップＳ５８（図１１）に進み、このステップＳ８４が否定された場合、すなわちＴ．３８のリアルタイムモードを用いる場合はステップＳ４６（図１０）に進む。
【００７５】
なお、上記のステップのうち、ワンタッチキー登録や直接発呼に用いる電話番号あるいはメールアドレスを入力するステップＳ２４、Ｓ３２、Ｓ４６、Ｓ７０、あるいはステップＳ２８、Ｓ５８などにおいては、操作入力された情報が電話番号あるいはメールアドレスであるか否かをチェックする。たとえば電話番号を入力すべきステップでは０〜９、＃などの電話番号を構成する情報のみが入力されているか、また、メールアドレスを入力するステップでは、入力文字列がメールアドレスとして不当な形式になっていないかなどをチェックし、適切な電話番号あるいはメールアドレスが入力されていない場合は操作部２０で警告（音や表示による）を発生し、入力された情報をワンタッチキー登録や発呼には用いないようにするものとする。これにより確実に必要な宛先の選択情報を入力させることができる。
【００７６】
以上のようにして、ＰＳＴＮ接続のファクシミリ通信と、ＩＴＵ−Ｔ勧告Ｔ.３７あるいはＴ．３８のインターネットファクシミリ通信をサポートする装置において相手局の選択情報を適切に入力させ、また登録できる。特に、それぞれメールアドレス、電話番号と異なる種類の選択情報を用いるべきＩＴＵ−Ｔ勧告Ｔ.３７あるいはＴ．３８のインターネットファクシミリ通信において、誤まった種類の選択情報を入力、あるいは登録してしまうことがなくなり、確実にＰＳＴＮ接続のファクシミリ通信、ＩＴＵ−Ｔ勧告Ｔ.３７あるいはＴ．３８のインターネットファクシミリ通信により相手局と通信することができる。
【００７７】
以上では、ＩＴＵ−Ｔ勧告Ｔ．３８のリアルタイムモードでのファクシミリ通信においてはゲートウェイを用いて最終相手局と接続するものとした。しかし、図１に示したようにＴ．３８プロトコルを直接実行して画像送受信を行なうインターネットファクシミリ装置１１２ａも存在し、このインターネットファクシミリ装置１１２ａの場合は選択情報としてメールアドレス（あるいはホストアドレス）を用いる。
【００７８】
インターネットファクシミリ装置１１２ａとの接続もサポートする場合には、図６のテーブルには、ワンタッチダイヤル０４の登録情報として、たとえば
インターネット（リアルタイムモード（ＩＡＦ））、ｚｚｚ＠ｙｙｙ．ｃｏ．ｊｐ
のような接続方式と、選択情報に関する情報を格納する。このとき、ワンタッチダイヤル０３の接続方式は、ゲートウェイを用いる
インターネット（リアルタイムモード（非ＩＡＦ））
のような登録情報とする。
【００７９】
上記インターネットファクシミリ装置１１２ａとの接続もサポートする場合、図７〜図１２の制御手順を図１３および図１４に示すように変更する。
【００８０】
ステップＳ９０は、図８のステップＳ２０のＴ．３８リアルタイムモードの選択に相当し、ステップＳ２０でＴ．３８リアルタイムモードが選択されると、ステップＳ９２において、当該の宛先がＩＡＦタイプであるか、すなわちファクシミリゲートウェイ付きファクシミリ端末であるか否かをユーザに指定させる。ここでユーザの指定がＩＡＦタイプであればステップＳ９４に進む。ＩＡＦタイプでなければステップＳ１００に進む。
【００８１】
ステップＳ９４はステップＳ２６と同一の処理で、操作部２０の表示部に「通信宛先情報としてメールアドレス情報を入力してください」と表示する。ステップＳ９６では、バス２６を介して操作部２０から入力されるメールアドレス情報を取り込み、
インターネット（リアルタイムモード（ＩＡＦ））、ｚｚｚ＠ｙｙｙ．ｃｏ．ｊｐ
と図６のテーブルに登録する。続くステップＳ９８は、ステップＳ６への復帰を表わしている。
【００８２】
一方、ステップＳ９２でユーザの指定がＩＡＦタイプでなければステップＳ１００においてステップＳ２２と同一の処理を行なう。すなわち、操作部２０の表示部に「通信宛先情報として電話番号を入力してください」と表示する。
【００８３】
ステップＳ１０２は、ステップＳ２４と同等の処理であるが、ここではインターネット（リアルタイムモード（非ＩＡＦ））、０３−１２３４−５６７８と登録し、ステップＳ６に復帰する。
【００８４】
また、図１４のステップＳ１０４は図１０のステップＳ４２での選択がＴ．３８リアルタイムモードであった場合の分岐に相当し、ステップＳ４２でＴ．３８リアルタイムモードが選択されるとステップＳ１０６で当該の宛先がＩＡＦタイプであるか、すなわちファクシミリゲートウェイ付きファクシミリ端末であるか否かをユーザに指定させる。ここでユーザの指定がＩＡＦタイプであればステップＳ１１０に進み、ここでユーザの指定がＩＡＦタイプでなければステップＳ１０８に進む。
【００８５】
ステップＳ１１０は図９のステップＳ２６と同一の処理で、操作部２０の表示部に「通信宛先情報としてメールアドレス情報を入力してください」と表示する。ステップＳ１１２は、図１１のステップＳ５８からステップＳ６２、つまりメールアドレスの入力、ＣＭＬオン、およびゲートウェイへの発呼に相当する。
【００８６】
ステップＳ１１４では、リアルタイムモードでの通信を行なうこと、および宛先の選択情報としてメールアドレスをゲートウェイに通知する。
【００８７】
ステップＳ１１６ではステップＳ５４と同等のＴ．３８プロトコルによるリアルタイムモードでのファクシミリ通信を行なう。
【００８８】
また、ステップＳ１１８は図１２のステップＳ８４のＮｏ、つまり、図６のワンタッチダイヤル情報からＴ．３７プロトコルのシンプルモードを用いない（Ｔ．３８プロトコルによるリアルタイムモードを用いる）、と判定された場合の分岐に相当する。この場合は、ステップＳ１２０において図６のワンタッチダイヤル情報から宛先がＩＡＦタイプであるか否かを判定し、宛先がＩＡＦタイプであれば場合には上記のステップＳ１１２に進み、宛先がＩＡＦタイプでなければ場合にはステップＳ１２２（ステップＳ４６）に進み、直接ダイヤルを用いてＴ．３８プロトコルによるリアルタイムモードを用いてファクシミリ通信を実行する。
【００８９】
以上のようにして、インターネットファクシミリ装置１１２ａとの接続もサポートすることができ、ＩＴＵ−Ｔ勧告Ｔ.３７あるいはＴ．３８のインターネットファクシミリ通信において、誤まった種類の選択情報を入力、あるいは登録してしまうことがなくなり、確実にＰＳＴＮ接続のファクシミリ通信、ＩＴＵ−Ｔ勧告Ｔ.３７あるいはＴ．３８のインターネットファクシミリ通信により相手局と通信することができる。特にＩＴＵ−Ｔ勧告Ｔ．３８のインターネットファクシミリ通信の場合、宛先がゲートウェイ接続型であってもインターネットファクシミリ装置（ＩＡＦ）であっても、適切な選択情報を入力、あるいは登録することができる。
【００９０】
以上ではワンタッチキーに対する選択情報の登録を例に説明したが、短縮ダイヤルデータの登録についても同様の制御が可能であるのはいうまでもない。
【００９１】
また、以上では、ファクシミリ装置の構成（図４）として専用機を考えたが、機器のハードウェア形態はこれに限定されるものではなく、たとえばパーソナルコンピュータ、モデム、およびファクシミリ通信ソフトウェアの組合せによりインターネットファクシミリ通信を行なう構成において本発明の通信制御を実施できる。その場合、本発明の通信制御は、ファクシミリ通信ソフトウェアの一部として、あるいはオペレーティングシステムの一部を構成するドライバプログラムやライブラリプログラムなどとして供給することができる。
【００９２】
【発明の効果】
以上の説明から明らかなように、本発明によれば、ファクシミリ通信に用いられる宛先情報をユーザが入力する入力手段と、前記入力手段で入力された宛先情報により特定される宛先に対して、ファクシミリ通信を実行する通信手段を有し、ユーザにより入力された宛先情報の種類に対応する通信経路を用いて複数種類の選択情報のいずれかを用いて宛先を発呼し、異なる通信経路でファクシミリ通信を行なうファクシミリ装置、ファクシミリ装置の制御方法、およびファクシミリ装置の制御プログラムにおいて、前記入力手段により宛先情報をユーザが入力する際、該宛先情報に応じて前記通信手段が実行するファクシミリ通信がＩＰ網を経由して実行される場合は、該ファクシミリ通信が該ＩＰ網に接続された最終宛先に対して実行されるべきか、または公衆回線網に接続された最終宛先に対して実行されるべきかを判定し、この判定の結果に基づいて、前記ファクシミリ通信に用いられるべき宛先情報の種類を決定し、該決定した種類の宛先情報を前記ユーザに入力させるよう前記入力手段を制御する構成を採用しているので、ファクシミリ通信、特にＩＴＵ−Ｔ勧告Ｔ．３８のインターネットファクシミリ通信において、適切な種類の宛先情報をユーザに入力させることができる、という優れた効果がある。
【図面の簡単な説明】
【図１】ＩＴＵ−Ｔ勧告Ｔ.３８およびＴ．３７に基づいたファクシミリ通信系の構成を示したブロック図である。
【図２】図１の構成における通信の様子を示した説明図である。
【図３】図１の構成における通信の様子を示した説明図である。
【図４】本発明を採用したファクシミリ装置の構成を示したブロック図である。
【図５】本発明を採用したファクシミリゲートウェイの構成を示したブロック図である。
【図６】図４のファクシミリ装置におけるワンタッチキー登録情報を示した説明図である。
【図７】図４のファクシミリ装置における通信制御手順を示したフローチャート図である。
【図８】図４のファクシミリ装置における通信制御手順を示したフローチャート図である。
【図９】図４のファクシミリ装置における通信制御手順を示したフローチャート図である。
【図１０】図４のファクシミリ装置における通信制御手順を示したフローチャート図である。
【図１１】図４のファクシミリ装置における通信制御手順を示したフローチャート図である。
【図１２】図４のファクシミリ装置における通信制御手順を示したフローチャート図である。
【図１３】図４のファクシミリ装置における異なる通信制御手順を示したフローチャート図である。
【図１４】図４のファクシミリ装置における異なる通信制御手順を示したフローチャート図である。
【符号の説明】
２  ＮＣＵ
４  電話機
６  ハイブリッド回路
８  変復調器
１０  発呼回路
１２  加算回路
１４  読取回路
１６  記録回路
１８  メモリ回路
２０  操作部
２２  ＣＰＵ
２４  ＲＯＭ
２６  バス
１００、１１２、１１３  ファクシミリ装置
１０６  ＩＰネットワーク
１０４、１０８  ファクシミリゲートウェイ
１１２ａ  インターネットファクシミリ装置（ＩＡＦ）
２０２  ＮＣＵ
２０６  ハイブリッド回路
２０８  変復調器
２１０  発呼回路
２１２  加算回路
２１４  回線インターフェース（２）
２１６  回線インターフェース（３）
２１８  メモリ
２２０  ネットワークカード
２２２  ＣＰＵ
２２４  ＲＯＭ
２３０  回線インターフェース（１）
【図１】
0003817468.tif 000002
【図２】
0003817468.tif 000003
【図３】
0003817468.tif 000004
【図４】
0003817468.tif 000005
【図５】
0003817468.tif 000006
【図６】
0003817468.tif 000007
【図７】
0003817468.tif 000008
【図８】
0003817468.tif 000009
【図９】
0003817468.tif 000010
【図１０】
0003817468.tif 000011
【図１１】
0003817468.tif 000012
【図１２】
0003817468.tif 000013
【図１３】
0003817468.tif 000014
【図１４】
0003817468.tif 000015